(57)【要約】【構成】色フィルタ１６ｆ上のフィルタ要素は、Ｒ，ＧまたはＢを有する。ＣＣＤイメージャ１６の受光素子は、かかるフィルタ要素によって覆われる。ＣＣＤイメージャ１６から出力される生画像信号の飽和レベルは通常モードおよび長時間モードの間で相違し、ＣＰＵ３６は最適露光時間を参照して通常モードまたは長時間しモードを選択する。ドライバ１８ｂは、ＣＣＤイメージャ１６で生成された生画像信号をＣＰＵ３６によって選択された駆動モードで読み出す。ＶＧＡ２２は、ＣＣＤイメージャ１６から出力された生画像信号を通常モードと長時間モードとの間で異なるゲインで増幅し、Ｇ信号の最大レベルをＡ／Ｄ変換器２６のダイナミックレンジの最大値に合わせる。ＶＧＡ２２から出力された生画像データの白バランスは、Ｇデータのレベルを基準として調整される。【効果】高輝度部分画像に偽色が発生する現象を防止できる。【選択図】図１
2008236030.tif 000002
【特許請求の範囲】
【請求項１】
複数色のいずれか１つを各々が有する複数のフィルタ要素が２次元に配列された色フィルタ、
前記複数のフィルタ要素によってそれぞれ覆われる複数の受光素子が形成された撮像面を有する撮像手段、
前記撮像手段から取り出される画像信号の最大レベルが互いに相違する複数の取り出しモードのいずれか１つを選択する選択手段、
前記撮像面で生成された画像信号を前記選択手段によって選択された取り出しモードで前記撮像手段から取り出す取り出し手段、
前記取り出し手段によって前記撮像手段から取り出された画像信号を前記複数の取り出しモードの間で異なる増幅率で増幅し、透光率が最大のフィルタ要素に対応する特定色信号の最大レベルを画像再現範囲の最大値に合わせる増幅手段、および
前記増幅手段から出力された増幅画像信号の白バランスを前記特定色信号のレベルを基準として調整する調整手段を備える、電子カメラ。
【請求項２】
前記選択手段の選択に先立って前記撮像面の露光量を調整する調整手段をさらに備える、請求項１記載の電子カメラ。
【請求項３】
前記複数色はＲ，ＧおよびＢを含み、前記透光率が最大のフィルタ要素は前記Ｇに対応するフィルタ要素である、請求項１または２記載の電子カメラ。
【請求項４】
前記増幅手段から出力された増幅画像信号をディジタル信号に変換するＡ／Ｄ変換手段をさらに備え、
前記画像再現範囲は前記Ａ／Ｄ変換手段のダイナミックレンジに相当する、請求項１ないし３のいずれかに記載の電子カメラ。
【請求項５】
複数色のいずれか１つを各々が有する複数のフィルタ要素が２次元に配列された色フィルタ、および前記複数のフィルタ要素によってそれぞれ覆われる複数の受光素子が形成された撮像面を有する撮像手段を備える電子カメラのプロセサに、
前記撮像手段から取り出される画像信号の最大レベルが互いに相違する複数の取り出しモードのいずれか１つを選択する選択ステップ、
前記撮像面で生成された画像信号を前記選択ステップによって選択された取り出しモードで前記撮像手段から取り出す取り出しステップ、
前記取り出しステップによって前記撮像手段から取り出された画像信号を前記複数の取り出しモードの間で異なる増幅率で増幅し、透光率が最大のフィルタ要素に対応する特定色信号の最大レベルを画像再現範囲の最大値に合わせる増幅ステップ、および
前記増幅ステップで増幅された増幅画像信号の白バランスを前記特定色信号のレベルを基準として調整する調整ステップを実行させるための、撮像制御プログラム。
【請求項６】
複数色のいずれか１つを各々が有する複数のフィルタ要素が２次元に配列された色フィルタ、および前記複数のフィルタ要素によってそれぞれ覆われる複数の受光素子が形成された撮像面を有する撮像手段を備える電子カメラによって実行される撮像制御方法であって、
前記撮像手段から取り出される画像信号の最大レベルが互いに相違する複数の取り出しモードのいずれか１つを選択する選択ステップ、
前記撮像面で生成された画像信号を前記選択ステップによって選択された取り出しモードで前記撮像手段から取り出す取り出しステップ、
前記取り出しステップによって前記撮像手段から取り出された画像信号を前記複数の取り出しモードの間で異なる増幅率で増幅し、透光率が最大のフィルタ要素に対応する特定色信号の最大レベルを画像再現範囲の最大値に合わせる増幅ステップ、および
前記増幅ステップで増幅された増幅画像信号の白バランスを前記特定色信号のレベルを基準として調整する調整ステップを備える、撮像制御方法。
【発明の詳細な説明】
【技術分野】
【０００１】
この発明は、電子カメラに関し、特にたとえば撮像素子を照度によって異なるモードで駆動する、電子カメラに関する。
【背景技術】
【０００２】
この種の電子カメラの一例が、特許文献１に開示されている。この背景技術によれば、ＣＣＤ素子の転送電極に印加する電圧が、ＣＣＤ素子から出力された画像信号を増幅するＡＧＣのゲインに基づいて制御される。つまり、ゲインが小さい場合は、各画素に含まれる全ての転送電極にフラットバンド電圧が印加され、オールゲートピニング駆動が実行される。一方、ゲインが大きい場合は、各画素に含まれる少なくとも１つの転送電極にフラットバンド電極よりも大きい電圧が印加され、オンゲート駆動が実行される。ＣＣＤ素子から出力される画像信号の最大レベルは、駆動モードによって変動する。ただし、ＡＧＣによるゲイン調整の結果、ＡＧＣから出力される画像信号の最大レベルはＡ−Ｄコンバータの最大入力レベルとほぼ一致する。これによって、Ａ−Ｄコンバータのダイナミックレンジの有効活用が図られる。
【特許文献１】特開２００５−３０４００９号公報［H04N 5/335, H01L 27/148］
【発明の開示】
【発明が解決しようとする課題】
【０００３】
しかし、背景技術では、ＣＣＤ素子を色フィルタで覆うことを想定しておらず、それゆえにフィルタ要素間での透光率の相違を考慮したＡＧＣゲインの制御ひいては偽色の防止について、何らの開示も示唆もない。
【０００４】
それゆえに、この発明の主たる目的は、偽色の発生を防止することができる、電子カメラを提供することである。
【課題を解決するための手段】
【０００５】
この発明に従う電子カメラ(10：実施例で相当する参照符号。以下同じ)は、複数色のいずれか１つを各々が有する複数のフィルタ要素が２次元に配列された色フィルタ(16f)、複数のフィルタ要素によってそれぞれ覆われる複数の受光素子が形成された撮像面を有する撮像手段(16)、撮像手段から取り出される画像信号の最大レベルが互いに相違する複数の取り出しモードのいずれか１つを選択する選択手段(S29, S33)、撮像面で生成された画像信号を選択手段によって選択された取り出しモードで撮像手段から取り出す取り出し手段(S17)、取り出し手段によって撮像手段から取り出された画像信号を複数の取り出しモードの間で異なる増幅率で増幅し、透光率が最大のフィルタ要素に対応する特定色信号の最大レベルを画像再現範囲の最大値に合わせる増幅手段(S27, S31)、および増幅手段から出力された増幅画像信号の白バランスを特定色信号のレベルを基準として調整する調整手段(S11)を備える。
【０００６】
色フィルタ上に２次元に配列された複数のフィルタ要素の各々は、複数色のいずれか１つを有する。撮像手段の撮像面には、複数のフィルタ要素によってそれぞれ覆われる複数の受光素子が形成される。撮像手段から取り出される画像信号の最大レベルは、複数の取り出しモードの間で相違する。選択手段は、このような複数の取り出しモードのいずれか１つを選択する。
【０００７】
取り出し手段は、撮像面で生成された画像信号を選択手段によって選択された取り出しモードで撮像手段から取り出す。増幅手段は、取り出し手段によって撮像手段から取り出された画像信号を複数の取り出しモードの間で異なる増幅率で増幅し、透光率が最大のフィルタ要素に対応する特定色信号の最大レベルを画像再現範囲の最大値に合わせる。増幅手段から出力された増幅画像信号の白バランスは、特定色信号のレベルを基準として、調整手段によって調整される。
【０００８】
色フィルタを形成するフィルタ要素の透光率は色によって異なり、白バランスは透光率が最大のフィルタ要素に対応する特定色信号のレベルを基準として調整される。このため、特定色信号の最大レベルが画像再現範囲の最大値を下回ると、白色光源のような周囲と比べて高輝度の被写体を含む被写界を撮影した場合に、白バランス調整によって高輝度部分に偽色が現れる。
【０００９】
そこで、この発明では、撮像手段から取り出された画像信号を複数の取り出しモードの間で異なる増幅率で増幅し、特定色信号の最大レベルを画像再現範囲の最大値に合わせるようにしている。この結果、いずれの取り出しモードが選択されたときでも、高輝度部分に偽色が発生する現象を防止することができる。
【００１０】
好ましくは、調整手段(S9)は、選択手段の選択に先立って撮像面の露光量を調整する。また、複数色はＲ，ＧおよびＢを含み、透光率が最大のフィルタ要素はＧに対応するフィルタ要素である。さらに、増幅手段から出力された増幅画像信号はＡ／Ｄ変換手段によってディジタル信号に変換され、画像再現範囲はＡ／Ｄ変換手段のダイナミックレンジに相当する。
【００１１】
この発明に従う撮像制御プログラムは、複数色のいずれか１つを各々が有する複数のフィルタ要素が２次元に配列された色フィルタ(16f)、および複数のフィルタ要素によってそれぞれ覆われる複数の受光素子が形成された撮像面を有する撮像手段(16)を備える電子カメラ(10)のプロセサ(36)に、撮像手段から取り出される画像信号の最大レベルが互いに相違する複数の取り出しモードのいずれか１つを選択する選択ステップ(S29, S33)、撮像面で生成された画像信号を選択ステップによって選択された取り出しモードで撮像手段から取り出す取り出しステップ(S17)、取り出しステップによって撮像手段から取り出された画像信号を複数の取り出しモードの間で異なる増幅率で増幅し、透光率が最大のフィルタ要素に対応する特定色信号の最大レベルを画像再現範囲の最大値に合わせる増幅ステップ(S27, S31)、および増幅ステップで増幅された増幅画像信号の白バランスを特定色信号のレベルを基準として調整する調整ステップ(S11)を実行させるための、撮像制御プログラムである。
【００１２】
この発明に従う撮像制御方法は、複数色のいずれか１つを各々が有する複数のフィルタ要素が２次元に配列された色フィルタ(16f)、および複数のフィルタ要素によってそれぞれ覆われる複数の受光素子が形成された撮像面を有する撮像手段(16)を備える電子カメラ(10)によって実行される撮像制御方法であって、撮像手段から取り出される画像信号の最大レベルが互いに相違する複数の取り出しモードのいずれか１つを選択する選択ステップ(S29, S33)、撮像面で生成された画像信号を選択ステップによって選択された取り出しモードで撮像手段から取り出す取り出しステップ(S17)、取り出しステップによって撮像手段から取り出された画像信号を複数の取り出しモードの間で異なる増幅率で増幅し、透光率が最大のフィルタ要素に対応する特定色信号の最大レベルを画像再現範囲の最大値に合わせる増幅ステップ(S27, S31)、および増幅ステップで増幅された増幅画像信号の白バランスを特定色信号のレベルを基準として調整する調整ステップ(S11)を備える。
【発明の効果】
【００１３】
この発明によれば、撮像手段から取り出された画像信号は複数の取り出しモードの間で異なる増幅率で増幅され、特定色信号の最大レベルが画像再現範囲の最大値に合わせられる。この結果、いずれの取り出しモードが選択されたときでも、高輝度部分に偽色が発生する現象を防止することができる。
【００１４】
この発明の上述の目的，その他の目的，特徴および利点は、図面を参照して行う以下の実施例の詳細な説明から一層明らかとなろう。
【発明を実施するための最良の形態】
【００１５】
図１を参照して、この実施例の電子カメラ１０は、光学レンズ１２および絞り機構１４を含む。被写界の光学像は、これらの部材を通してＣＣＤイメージャ１６の撮像面に照射される。撮像面は、Ｒ(Red)のフィルタ要素であるＲ要素，Ｇ(Green)のフィルタ要素であるＧ要素およびＢ(Blue)のフィルタ要素であるＢ要素が２次元に配列された色フィルタ１６ｆ（図２参照）によって覆われる。撮像面に設けられた複数の受光素子は、このような複数のフィルタ要素によってそれぞれ覆われる。各々の受光素子で光電変換によって生成される電荷の量は、色フィルタ１６ｆを透過したＲ，ＧまたはＢの光量を反映する。
【００１６】
被写界を表すリアルタイム動画像（スルー画像）をＬＣＤモニタ３２に表示するスルー画像処理を実行するとき、ＣＰＵ３６は、ＣＣＤイメージャ１６の駆動モードとして間引き読み出しモードをドライバ１８ｂに設定する。ドライバ１８ｂは、撮像面のプリ露光とこれによって生成された電荷のラスタ走査態様での間引き読み出しとを繰り返し実行するべく、対応するタイミング信号をイメージセンサ１６に与える。この結果、被写界を表す低解像度の生画像信号が３０ｆｐｓのフレームレートでＣＣＤイメージャ１６から出力される。
【００１７】
ＣＣＤイメージャ１６から出力された生画像信号は、ＣＤＳ(Correlation Double Sampling)回路２０によって周知のノイズ除去処理を施される。ＶＧＡ(Variable Gain Amplifier)２２は、ＣＤＳ回路２０から出力された生画像信号をＣＰＵ３６によって設定されたゲインを参照して増幅する。増幅された生画像信号は、クランプ回路２８から出力されたクランプレベル信号と加算器２４によって加算される。加算器２４から出力された生画像信号はＡ／Ｄ変換器２６によって生画像データに変換され、変換された生画像データはクランプ回路２８に与えられる。クランプ回路２８は、与えられた生画像データに基づいてクランプレベルを算出し、算出されたクランプレベルを有するクランプレベル信号を加算器２４に与える。この結果、各フレームの生画像信号の基準レベルがクランプレベル（黒レベル）に合わせられる。
【００１８】
Ａ／Ｄ変換器２６から出力された生画像データはまた、データ処理回路３０に与えられる。データ処理回路３０は、与えられた生画像データに色分離を施してＲＧＢ形式の画像データを作成し、作成されたＲＧＢ形式の画像データの白バランスを調整し、そして調整された白バランスを有する画像データの形式をＲＧＢ形式からＹＵＶ形式に変換する。ＬＣＤモニタ３２は、変換されたＹＵＶ形式の画像データに基づいて駆動される。この結果、スルー画像が画面に表示される。
【００１９】
データ処理回路３０はまた、ＲＧＢ形式の画像データをＣＰＵ３６に与える。ＣＰＵ３６は、与えられた画像データを参照してスルー画像用ＡＷＢ処理を実行し、白バランス調整用のゲインαおよびβを算出する。算出されたゲインαおよびβはデータ処理回路３０に与えられ、データ処理回路３０は与えられたゲインαおよびβを参照して白バランス調整を実行する。これによって、スルー画像の白バランスが適度に調整される。
【００２０】
データ処理回路３０はさらに、ＹＵＶ形式の画像データのうちＹデータをＣＰＵ３６に与える。ＣＰＵ３６は、与えられたＹデータを参照したスルー画像用ＡＥ処理によって被写界の明るさを評価し、適正露光量を確保するべく絞り機構１４の絞り量またはＣＣＤイメージャ１６の露光時間を調整する。絞り量を調整するとき、ＣＰＵ３６は対応する命令をドライバ１８ａに与える。絞り機構１４はドライバ１８ａによって駆動され、これによって絞り量が所望の値に調整される。また、露光時間を調整するとき、ＣＰＵ３６は対応する命令をドライバ１８ｂに与える。ＣＣＤイメージャ１６の露光時間は、ドライバ１８ｂによって調整される。
【００２１】
ＶＧＡ２２の設定ゲインは、絞り量および／または露光時間の調整では適正露光量を確保できないときに増大される。増大された設定ゲインは、たとえば撮像面のパン／チルトに起因して十分な露光量が得られたときに速やか減少される。露光調整は、設定ゲインの減少後に実行される。こうして、スルー画像の明るさが適度に調整される。
【００２２】
撮像面が所望の被写界に向けられ、キー入力装置３８上のシャッタボタン３８ｓが半押しされると、ＣＰＵ３６は、ＶＧＡ２２の設定ゲインを初期化し、初期化されたゲインに対応するＲＧＢ形式の画像データを参照した記録用ＡＷＢ処理によって最適ゲインαｓおよびβｓを算出し、初期化されたゲインに対応するＹデータを参照した記録用ＡＥ処理によって最適絞り量Ａｓおよび最適露光時間Ｔｓを算出する。白バランス，絞り量および露光時間はその後、上述と同じ要領で調整される。
【００２３】
ＣＰＵ３６はまた、最適露光時間Ｔｓが閾値ＴＨ１以下のとき、ＶＧＡ２２のゲインを“Ｋ１”に決定し、かつＣＣＤイメージャ１６の駆動モードを通常モードに決定する。ＣＰＵ３６はさらに、最適露光時間Ｔｓが閾値ＴＨ１を上回るとき、ＶＧＡ２２のゲインを“Ｋ１”よりも大きい“Ｋ２”に決定し、かつＣＣＤイメージャ１６の駆動モードを長時間モードに決定する。
【００２４】
シャッタボタン３８ｓが全押しされると、ＣＰＵ３６は、本露光処理を実行するべく、決定されたゲイン“Ｋ１”または“Ｋ２”をＶＧＡ２２に設定し、決定された駆動モードをドライバ１８ｂに設定する。ドライバ１８ｂは、撮像面の本露光とこれによって生成された電荷の全画素読み出しとを１回ずつ実行するべく、設定された駆動モードに対応するタイミング信号をイメージセンサ１６に与える。この結果、被写界を表す高解像度の生画像信号がラスタ走査態様でＣＣＤイメージャ１６から出力される。
【００２５】
図４を参照して、シャッタボタン３８ｓの全押しに応答してＣＣＤイメージャ１６から出力される生画像信号の飽和レベルは、駆動モードによって相違する。つまり、長時間モードに対応して出力される生画像信号の飽和レベルは、通常モードに対応して出力される生画像信号の飽和レベルよりも低くなる。なお、図示しないが、長時間モードにおいてＣＣＤイメージャ１６で発生する暗電流の量は、通常モードにおいてＣＣＤイメージャ１６で発生する暗電流の量よりも抑制される。
【００２６】
ＣＣＤイメージャ１６から出力された生画像信号は上述と同様の処理を施され、データ処理回路３０にはノイズが除去されかつ基準レベルが黒レベルに合わせられた生画像データが与えられる。シャッタボタン３８ｓが全押しされたとき、ＣＰＵ３６はデータ処理回路３０に記録処理の実行を命令する。データ処理回路３０は、与えられた１フレームの生画像データを上述と同じ要領でＹＵＶ形式の画像データに変換し、その後にＪＰＥＧファイル形式で記録媒体３４に記録する。記録処理が完了すると、上述した間引き読み出しモードの下での処理が再開される。
【００２７】
データ処理回路３０は、図３に示すように構成される。色分離回路４２は、Ａ／Ｄ変換回路２６から出力された生画像データに色分離処理を施す。生画像データを形成する複数の画素の各々は、Ｒ，ＧまたはＢの色情報しか有しない。各画素が不足している２色の色情報は、色分離処理によって補完される。色分離回路４２からは、各画素がＲ，ＧおよびＢの全ての色情報を有するＲＧＢ形式の画像データが出力される。
【００２８】
色分離回路４２から出力されたＲデータおよびＢデータはそれぞれ、白バランス調整回路４４を形成するアンプ４４ａおよび４４ｂに与えられる。アンプ４４ａはＣＰＵ３６によって設定されたゲインα（またはαｓ）を参照してＲデータを増幅し、アンプ４４ｂはＣＰＵ３６によって設定されたゲインβ（またはβｓ）を参照してＢデータを増幅する。増幅されたＲデータおよびＧデータは、ＹＵＶ変換回路４６に与えられる。一方、色分離回路４２から出力されたＧデータは、そのままＹＵＶ変換回路４６に与えられる。ＹＵＶ変換回路４６は、与えられた画像データの形式をＲＧＢ形式からＹＵＶ形式に変換し、変換された画像データを表示／記録処理回路４８に与える。表示／記録回路４８は、間引き読み出しモードに対応して生成されたＹＵＶ形式の画像データに基づいてＬＣＤモニタ３２を駆動し、通常モードまたは長時間モードに対応して生成されたＹＵＶ形式の画像データをＪＰＥＧファイル形式で記録媒体３４に記録する。
【００２９】
白色光源を含む比較的明るい被写界を通常モードで撮影すると、白色光源に対応してＣＣＤイメージャ１６から出力される生画像信号は、図５（Ａ）に示すＲレベル，ＧレベルおよびＢレベルを示す。一方、同じ白色光源を含む比較的暗い被写界を長時間モードで撮影すると、白色光源に対応してＣＣＤイメージャ１６から出力される生画像信号は、図５（Ｂ）に示すＲレベル，ＧレベルおよびＢレベルを示す。
【００３０】
通常モードまたは長時間モードの設定に先立って記録用ＡＥ処理が実行されるため、Ｒレベルは、ＣＣＤイメージャ１６の飽和レベルと一致する。また、Ｒ要素，Ｇ要素およびＢ要素の間での透光率の相違から、ＲレベルおよびＢレベルの各々はＧレベルよりも低くなる。さらに、通常モードおよび長時間モードの間での飽和レベルの相違から、長時間モードで得られる生画像信号のＲレベル，ＧレベルおよびＢレベルは、通常モードで得られる生画像信号のＲレベル，ＧレベルおよびＢレベルよりも低くなる。
【００３１】
ただし、図５（Ａ）ではＶＧＡ２２にゲイン“Ｋ１”が設定され、図５（Ｂ）ではＶＧＡ２２にゲイン“Ｋ２”が設定され、これによって生画像信号のＧレベルはＡ／Ｄ変換器２６のダイナミックレンジの最大レベルに合わせられる。このようなレベルを有する生画像データが白バランス調整を施され、これによってＲレベルおよびＢレベルがＧレベルに合わせられる。
【００３２】
参考までに、長時間モードに対応してＶＧＡ２２にゲイン“Ｋ１”を設定したときの動作を図５（Ｃ）に示す。この場合、ＶＧＡ２２から出力された生画像信号のＧレベルはＡ／Ｄ変換器２６のダイナミックレンジの最大レベルを下回る。このようなレベルを有する生画像データが白バランス調整を施されると、ＧレベルがＲレベルおよびＢレベルを下回り、白色光源を表す画像に偽色が現れてしまう。
【００３３】
ＣＰＵ３６は、図６に示すメインタスクと図７に示すゲイン／モード制御タスクとを含む複数のタスクを並列的に実行する。なお、これらのタスクに対応する制御プログラムは、フラッシュメモリ４０に記憶される。
【００３４】
図６を参照して、ステップＳ１ではスルー画像処理を実行する。この結果、被写界を表すスルー画像がＬＣＤモニタ３２に表示される。ステップＳ３ではシャッタボタン３８ｓが半押しされたか否かを判別する。ここでＮＯであれば、ステップＳ５でスルー画像用ＡＥ処理（ＶＧＡ制御含む）を実行し、ステップＳ７でスルー画像用ＡＷＢ処理を実行する。この結果、スルー画像の明るさおよび白バランスが適度に調整される。ステップＳ７の処理が完了すると、ステップＳ３に戻る。
【００３５】
ステップＳ３でＹＥＳであれば、ステップＳ９で記録用ＡＥ処理を実行し、ステップＳ１１で記録用ＡＷＢ処理を実行する。これによって、最適絞り量Ａｓおよび最適露光時間Ｔｓと最適ゲインαｓおよびβｓとが算出される。最適露光量Ａｓおよび最適露光時間Ｔｓはドライバ１８ａおよび１８ｂにそれぞれ設定される。また、最適ゲインαｓおよびβｓはそれぞれ、白バランス調整回路４４を形成するアンプ４４ａおよび４４ｂに設定される。
【００３６】
ステップＳ１３ではシャッタボタン３８ｓが全押しされたか否かを判別し、ステップＳ１５ではシャッタボタン３８ｓの操作が解除されたか否かを判別する。ステップＳ１５でＹＥＳであればステップＳ３に戻り、ステップＳ１３でＹＥＳであればステップＳ１７に進む。ステップＳ１７では本露光処理を実行し、ステップＳ１９では記録処理の実行をデータ処理回路３０に命令する。ステップＳ１９の処理が完了すると、ステップＳ１に戻る。
【００３７】
ゲイン／モード制御タスクによって決定されたゲイン“Ｋ１”または“Ｋ２”は、本露光処理によってＶＧＡ２２に設定される。ゲイン／モード制御タスクによって決定された駆動モードもまた、本露光処理によってドライバ１８ｂに設定される。この結果、シャッタボタン３８ｓが全押しされた時点の被写界を表す高解像度の画像データが作成される。作成された画像データは、記録処理の実行によってＪＰＥＧファイル形式で記録媒体３４に記録される。
【００３８】
図７を参照して、ステップＳ２１ではシャッタボタン３８ｓが半押しされたか否かを判別する。ここでＹＥＳであれば、最適露光時間Ｔｓをメインタスクから取得する。ステップＳ２５では、取得された最適露光時間Ｔｓを閾値ＴＨ１と比較する。露光時間Ｔｓが閾値ＴＨ１以下であれば、ステップＳ２７でＶＧＡ２２のゲインを“Ｋ１”に決定し、ステップＳ２９で駆動モードを通常モードに決定する。露光時間Ｔｓが閾値ＴＨ１を上回れば、ステップＳ３１でＶＧＡ２２のゲインを“Ｋ２”に決定し、ステップＳ３３で駆動モードを長時間モードに決定する。ステップＳ３５では、シャッタボタン３８ｓの半押しが解除されたか否かを判別する。シャッタボタン３８ｓの状態が半押し状態から非操作状態または全押し状態に移行すると、ステップＳ３５からステップＳ２１に戻る。
【００３９】
以上の説明から分かるように、色フィルタ１６ｆ上に２次元に配列された複数のフィルタ要素の各々は、Ｒ，ＧおよびＢのいずれか１つを有する。ＣＣＤイメージャ１６の撮像面には、複数のフィルタ要素によってそれぞれ覆われる複数の受光素子が形成される。ＣＣＤイメージャ１６から取り出される生画像信号の飽和レベル（＝最大レベル）は、通常モードおよび長時間モードの間で相違する。ＣＰＵ３６は、最適露光時間Ｔｓを参照して通常モードおよび長時間しモードのいずれか一方を選択する(S5, S9, S13)。
【００４０】
ドライバ１８ｂは、撮像面で生成された生画像信号をＣＰＵ３６によって選択された駆動モードでＣＣＤイメージャ１６から取り出す。ＶＧＡ２２は、ドライバ１８ｂによってＣＣＤイメージャ１６から取り出された生画像信号を通常モードと長時間モードとの間で異なるゲインで増幅し、透光率が最大のフィルタ要素（＝Ｇ要素）に対応するＧ信号の最大レベルをＡ／Ｄ変換器２６のダイナミックレンジ（画像再現範囲）の最大値に合わせる。ＶＧＡ２２から出力された生画像データの白バランスは、Ｇデータのレベルを基準として、白バランス調整回路４４によって調整される。
【００４１】
色フィルタを形成するフィルタ要素の透光率は色によって異なり、白バランスはＧデータのレベルを基準として調整される。このため、生画像信号を形成するＧ信号の最大レベルがＡ／Ｄ変換器２６のダイナミックレンジの最大値を下回ると、白色光源を含む被写界を撮影した場合に、白バランス調整によって高輝度部分に偽色が現れる。
【００４２】
そこで、この実施例では、ＣＣＤイメージャ１６から取り出された生画像信号を通常モードおよび長時間モードの間で異なるゲインで増幅し、Ｇ信号の最大レベルをＡ／Ｄ変換器２６のダイナミックレンジの最大値に合わせるようにしている。この結果、通常モードおよび長時間モードのいずれが選択されたときでも、高輝度部分に偽色が発生する現象を防止することができる。
【図面の簡単な説明】
【００４３】
【図１】この発明の一実施例の構成を示すブロック図である。
【図２】図１実施例に適用される色フィルタの一例を示す図解図である。
【図３】図１実施例に適用されるデータ処理回路の構成の一例を示すブロック図である。
【図４】図１実施例に適用されるＣＣＤイメージャの出力特性の一例を示すグラフである。
【図５】（Ａ）は図１実施例の動作の一例を示す図解図であり、（Ｂ）は図１実施例の動作の他の一例を示す図解図であり、（Ｃ）は図１実施例の動作のその他の一例を示す図解図である。
【図６】図１実施例に適用されるＣＰＵの動作の一部を示すフロー図である。
【図７】図１実施例に適用されるＣＰＵの動作の他の一部を示すフロー図である。
【符号の説明】
【００４４】
１０  …電子カメラ
１６  …撮像装置
１６ｆ  …色フィルタ
２２  …ＶＧＡ
２６  …Ａ／Ｄ変換器
３０  …データ処理装置
３６  …ＣＰＵ
４４  …白バランス調整回路
【図１】
2008236030.tif 000003
【図２】
2008236030.tif 000004
【図３】
2008236030.tif 000005
【図４】
2008236030.tif 000006
【図５】
2008236030.tif 000007
【図６】
2008236030.tif 000008
【図７】
2008236030.tif 000009